(57)【特許請求の範囲】
【請求項１】
素子基板、該素子基板に対向配置された対向基板、前記素子基板と前記対向基板とを貼り合わせる枠状のシール材、および前記素子基板と前記対向基板との間のうち、前記シール材で囲まれた領域に保持された液晶層を備え、前記素子基板が前記対向基板の端部から張り出した張出部を備えた液晶パネルと、
該液晶パネルの光出射側とは反対側に重ねて配置された光学シート及び導光板と、
前記液晶パネルの縁部を支持するとともに、前記液晶パネルと前記光学シートとの間に向けて突出した突板部を備えた第１フレームと、
前記液晶パネルに対して前記突板部とは反対側に配置された第２フレームと、
を有する液晶表示装置であって、
前記液晶パネルは、前記第２フレームと前記突板部との間に挟持され、
前記第１フレームの前記張出部が位置する側には、前記張出部の前記素子基板の側端面に対向する第１段部と、該第１段部より内側に配置されて前記光学シートの外形辺に対向する第２段部と、が設けられて前記突板部を形成し、
前記突板部が、前記第２フレームとの間で前記液晶パネルを支持する位置と、前記光学シートを介して前記導光板を支持する位置は、側方方向で重なるとともに、前記位置では可撓性シートを介して支持し、
前記突板部の内縁は前記シール材より画像表示領域の側に位置し、
前記可撓性シートは前記シール材と平面視で重なる位置で前記液晶パネルを支持するとともに、前記対向基板の端部及び前記光学シートの端部より前記画像表示領域の側に位置し
ていることを特徴とする液晶表示装置。
【請求項２】
前記可撓性シートは前記突板部の前記液晶パネル側と、前記導光板側の両側にあることを特徴とする請求項１に記載の液晶表示装置。
【請求項３】
前記突板部において、前記液晶パネル側の前記可撓性シートと、前記導光板側の前記可撓性シートは平面視で重なることを特徴とする請求項２に記載の液晶表示装置。
【請求項４】
前記可撓性シートは、前記突板部に固定されていることを特徴とする請求項１乃至３の何れか一項に記載の液晶表示装置。
【請求項５】
前記可撓性シートは、前記突板部に貼られていることを特徴とする請求項４に記載の液晶表示装置。
【請求項６】
前記可撓性シートは、前記突板部の溝に固定されていることを特徴とする請求項４に記載の液晶表示装置。
【請求項７】
請求項１乃至６の何れか一項に記載の液晶表示装置を備えていることを特徴とする電子機器。
【発明の詳細な説明】
【技術分野】
【０００１】
本発明は、液晶パネルおよび該液晶パネルに重ねて配置された光学シートをフレームによって保持した液晶表示装置、および該液晶表示装置を備えた電子機器に関するものである。
【背景技術】
【０００２】
透過型の液晶パネルを備えた液晶表示装置は、液晶パネルに重ねて配置された照明装置を備えており、かかる照明装置は、液晶パネルに重ねて配置されたプリズムシート等の光学シートを備えている。
【０００３】
照明装置としては、導光板と、導光板の側端面に発光部を向けた発光素子とを備えたものがあり、かかる照明装置を備えた液晶表示装置において、液晶パネルは第１フレームの突板部と第２フレームとの間に挟持され、光学シートは、突板部と導光板との間に挟持されている。また、光学シートは、外形辺（外縁）が液晶パネルの端部より内側に位置するように配置されている（例えば、特許文献１参照）。
【０００４】
一方、別のタイプの照明装置としては、液晶パネルの直下に蛍光管を配置したものがあり、かかる照明装置を備えた液晶表示装置において、液晶パネルは第１フレームの突板部と第２フレームとの間に挟持され、光学シートは、突板部とリフレクタとの間に挟持されている（例えば、特許文献２参照）。
【０００５】
このように構成した液晶表示装置のうち、特許文献１に記載の液晶表示装置では、第１フレームに、突板部から光学シートの側に突出して光学シートの外形辺に対向する段部が設けられている。かかる構成によれば、段部によって光学シートの位置ずれをある程度抑えることができるので、光学シートについては、外形辺が液晶パネルの端部より内側に位置するように配置しておくことができる。
【０００６】
一方、特許文献２に記載の液晶表示装置では、第１フレームに、突板部から液晶パネルの側に突出して液晶パネルの外形辺に対向する段部が設けられている。かかる構成によれば、段部によって液晶パネルの位置ずれを防止することができる。また、第１フレームには、突板部から光学シートの側に突出して光学シートの外形辺に対向する段部も設けられており、かかる構成によれば、段部によって光学シートの位置ずれを防止することができるので、光学シートについては、外形辺が液晶パネルの端部より内側に位置するように配置しておくことができる。
【先行技術文献】
【特許文献】
【０００７】
【特許文献１】特開２００８−２８６９７７号公報
【特許文献２】特開２０１０−１６９９０６号公報
【発明の概要】
【発明が解決しようとする課題】
【０００８】
しかしながら、特許文献１、２に記載の上記段部に関する構成は、液晶パネルの外形辺のうち、対向基板の端部と素子基板の端部とが重なっている箇所に関するものであり、素子基板において対向基板の端部から張り出した張出部が位置する側の構成については、特許文献１、２には一切記載されていない。ここで、張出部が位置する側では、液晶パネルの縁部（素子基板の側端面）と画像表示領域とが大きく離間しているため、かかる部分の構成を最適化しないと、画像表示領域のサイズに比して光学シートが過剰に大きくなってしまい、光学シートに関するコストが増大してしまう。また、張出部は、対向基板が存在せず、パネル構造になっていないことから、外力によって、液晶パネルに衝撃が加わって液晶パネルが激しく周囲に当たると、素子基板が歪み、画像ムラや素子基板の損傷等が発生してしまう。
【０００９】
以上の問題点に鑑みて、本発明の課題は、液晶パネルにおいて素子基板の張出部が位置する側の構成を適正化することにより、液晶パネルや光学シートの位置ずれを防止することができるとともに、光学シートを必要最小限まで小さくすることのできる液晶表示装置、および当該液晶表示装置を備えた電子機器を提供することにある。
【課題を解決するための手段】
【００１０】
上記課題を解決するために、本発明は、素子基板、該素子基板に対向配置された対向基板、前記素子基板と前記対向基板とを貼り合わせる枠状のシール材、および前記素子基板と前記対向基板との間のうち、前記シール材で囲まれた領域に保持された液晶層を備え、前記素子基板が前記対向基板の端部から張り出した張出部を備えた液晶パネルと、該液晶パネルの光出射側とは反対側に重ねて配置された光学シートを備えた照明装置と、前記液晶パネルの縁部を支持するとともに、前記液晶パネルと前記光学シートとの間に向けて突出した突板部を備えた第１フレームと、を有する液晶表示装置であって、前記第１フレームの前記張出部が位置する側には、前記張出部の前記素子基板の側端面に対向する第１段部と、該第１段部より内側に配置されて前記光学シートの外形辺に対向する第２段部とが設けられていることを特徴とする。
【００１１】
本発明では、素子基板において対向基板の端部から張り出した張出部が位置する側では、第１フレームの突板部から液晶パネルの側に突出して張出部の側端面に対向する第１段部が設けられているため、外力によって、液晶パネルに衝撃が加わっても、液晶パネルは第１段部と当接し、激しく周囲に当たるということがない。このため、張出部が位置する側がパネル構造になっていなくても、素子基板が歪んで画像ムラや素子基板の損傷等が発生することを回避することができる。また、張出部が位置する側では、第１フレームの突板部から光学シートの側に突出して光学シートの外形辺に対向する第２段部が設けられているため、外力によって、光学シートが位置ずれしようとしても、光学シートは第２段部と当接し、それ以上、変位しない。それ故、光学シートが歪んで画像ムラが発生することを回避することができる。また、光学シートが位置ずれしようとしても、光学シートは第２段部と当接し、それ以上、変位しないので、第２段部については第１段部より内側に配置して光学シートのサイズを小さくしても、光が光学シートを通らずに液晶パネルに入射することがない。
【００１２】
本発明において、前記照明装置は、前記光学シートに対して前記液晶パネルとは反対側に重ねて配置された導光板と、該導光板の側端面のうち、少なくとも前記張出部が位置する側の側端面に沿って配列された発光素子と、を備えている構成を採用することができる。
【００１３】
この場合、前記張出部が位置する側において、前記第２段部は、前記導光板の前記側端面より内側に位置することが好ましい。かかる構成によれば、光学シートのサイズが小さいので、コストの低減を図ることができる。
【００１４】
また、前記液晶パネルは、該液晶パネルに対して前記突板部とは反対側に配置された第２フレームと前記突板部との間に挟持され、前記光学シートは、前記導光板と前記突板部との間に挟持されていることが好ましい。
【００１５】
本発明では、前記張出部が位置する側において、前記光学シートの外形辺は、前記対向基板の側端面と重なる位置、あるいは前記対向基板の側端面より内側に位置することが好ましい。かかる構成によれば、光学シートのサイズが小さいので、コストの低減を図ることができる。
【００１６】
本発明では、前記張出部が位置する側において、前記突板部の内縁は、前記シール材より内側に位置することが好ましい。かかる構成によれば、液晶パネルおよび光学シートを確実に保持することができる。また、突板部の内縁を見切り、あるいは見切りの一部として利用することができる。
【００１７】
本発明では、前記張出部が位置する側において、前記光学シートと前記第２段部との間には隙間が設けられていることが好ましい。かかる構成によれば、光学シートの外形辺が多少、変位することが許容されているので、光学シートが撓むことを防止することができる。
【００１８】
本発明において、前記張出部と前記第１段部との間には隙間が設けられていることが好ましい。かかる構成によれば、第１フレームに衝撃が加わっても、液晶パネルに大きな負荷が加わらないので、素子基板が歪んで画像ムラや素子基板の損傷等が発生することを回避することができる。
【００１９】
本発明に係る液晶表示装置は、液晶テレビ等の電子機器に用いられる。
【図面の簡単な説明】
【００２０】
【図１】本発明の実施の形態１に係る液晶表示装置を備えた液晶テレビ（電子機器）の説明図である。
【図２】本発明の実施の形態１に係る液晶表示装置の全体構成を示す説明図である。
【図３】本発明の実施の形態１に係る液晶表示装置をさらに細かく分解したときの分解斜視図である。
【図４】本発明の実施の形態１に係る液晶表示装置において張出部が位置する側の断面図である。
【図５】本発明の実施の形態１に係る液晶表示装置において張出部が位置する側とは反対側の断面図である。
【図６】本発明の実施の形態１に係る液晶表示装置の照明装置に用いた光源用基板周辺の構成を示す説明図である。
【図７】本発明を適用した液晶表示装置の照明装置に用いた光学シートの外形辺および第２段部の平面形状を示す説明図である。
【発明を実施するための形態】
【００２１】
図面を参照して、液晶テレビ用の液晶表示装置に本発明を適用した形態を説明する。なお、以下の説明で参照する図においては、各層や各部材を図面上で認識可能な程度の大きさとするため、各層や各部材毎に縮尺を異ならしめてある。また、以下の説明では、導光板や液晶パネルの面内方向で互いに交差する方向の一方（図に示す導光板や液晶パネル（表示パネル）の長辺が延在する方向）をＸ軸方向とし、および他方（図に示す導光板や液晶パネルの短辺が延在する方向）をＹ軸方向とし、Ｘ軸方向およびＹ軸方向に交差する方向（図に示す導光板と液晶パネルとが積層される方向）をＺ軸方向とする。また、以下に参照する図面では、Ｘ軸方向の一方側をＸ１側とし、他方側をＸ２側とし、Ｙ軸方向の一方側（液晶パネルの張出部が配置される方向）をＹ１側とし、これと対向する他方側をＹ２側とし、Ｚ軸方向の一方側（導光板の背面に向けられた方向）をＺ１側（下側）とし、これと対向する他方側（照明光や表示光が出射される側）をＺ２側（上側）として表してある。
【００２２】
［実施の形態１］
（全体構成）
図１は、本発明の実施の形態１に係る液晶表示装置を備えた液晶テレビ（電子機器）の説明図であり、図１（ａ）、（ｂ）は、液晶テレビの外観を模式的に示す説明図、および液晶表示装置の電気的構成を示すブロック図である。
【００２３】
図１（ａ）に示す電子機器２０００は液晶テレビであり、液晶表示装置１００やテレビ用のフレーム２０１０等を有している。液晶表示装置１００は、後述する液晶パネル１０（表示パネル）と、液晶パネル１０に画像信号を供給する画像信号供給部２７０と、液晶パネル１０に照明光を供給する照明装置８とを有している。また、液晶表示装置１００は、液晶パネル１０においてＸ軸方向に延在する走査線を駆動する走査線駆動回路１０４と、液晶パネル１０においてＹ軸方向に延在するデータ線を駆動するデータ線駆動回路１０１とを有している。走査線駆動回路１０４およびデータ線駆動回路１０１については、双方が液晶パネル１０に内蔵された構成を採用することができる。また、走査線駆動回路１０４およびデータ線駆動回路１０１のうちの一方が液晶パネル１０に内蔵され、他方が液晶パネル１０にＣＯＧ実装された駆動用ＩＣに内蔵された構成を採用することができる。また、走査線駆動回路１０４およびデータ線駆動回路１０１のうちの一方が液晶パネル１０に内蔵され、他方が液晶パネル１０に電気的に接続された回路基板に実装された駆動用ＩＣに内蔵された構成を採用することができる。さらには、走査線駆動回路１０４およびデータ線駆動回路１０１の双方が液晶パネル１０とは別体の駆動用ＩＣに内蔵された構成等を採用することができる。
【００２４】
本形態において、照明装置８は、液晶パネル１０に重ねて配置された導光板８０と、導光板８０の側端面のうち、光入射部８０ａとされた側端面に沿って配置された複数の発光素子８９と、複数の発光素子８９が実装された光源用基板８８と、発光素子８９を駆動する光源駆動部２８０とを有している。本形態において、液晶パネル１０は横長の四角形であり、縁部には４つの辺１０ａ、１０ｂ、１０ｃ、１０ｄを有している。これらの辺１０ａ、１０ｂ、１０ｃ、１０ｄのうち、辺１０ａはＹ軸方向の一方側Ｙ１に位置する長辺であり、辺１０ｂはＹ軸方向の他方側Ｙ２に位置する長辺であり、辺１０ｃはＸ軸方向の一方側Ｘ１に位置する短辺であり、辺１０ｄはＸ軸方向の他方側Ｘ２に位置する短辺である。かかる形状に対応して、導光板８０は、４つの側端面８０１、８０２、８０３、８０４を有している。これらの側端面８０１〜８０４のうち、側端面８０１はＹ軸方向の一方側Ｙ１の長辺に位置し、側端面８０２はＹ軸方向の他方側Ｙ２の長辺に位置し、側端面８０３はＸ軸方向の一方側Ｘ１の短辺に位置し、側端面８０４はＸ軸方向の他方側Ｘ２の短辺に位置する。本形態では、導光板８０の４つの側端面８０１、８０２、８０３、８０４のうち、短辺方向（Ｙ軸方向）で対向する２つの側端面８０１、８０２が光入射部８０ａになっている。このため、発光素子８９は、導光板８０の２つの側端面８０１、８０２（光入射部８０ａ）の各々に沿って配列され、光源用基板８８は、導光板８０の２つの側端面８０１、８０２（光入射部８０ａ）の各々に沿って延在している。
【００２５】
（液晶表示装置１００の具体的構成）
図２は、本発明の実施の形態１に係る液晶表示装置１００の全体構成を示す説明図であり、図２（ａ）、（ｂ）は、液晶表示装置１００の斜視図および分解斜視図である。図３は、本発明の実施の形態１に係る液晶表示装置１００をさらに細かく分解したときの分解斜視図である。図４は、本発明の実施の形態１に係る液晶表示装置１００において張出部が位置する側の断面図（図１（ａ）のＡ−Ａ′線に沿って切断したとき断面図）であり、図４（ａ）、（ｂ）は、張出部が位置する側の全体的な構成を示す断面図、および突板部周辺の隙間を示す説明図である。図５は、本発明の実施の形態１に係る液晶表示装置１００において張出部が位置する側とは反対側の断面図（図１（ａ）のＢ−Ｂ′線に沿って切断したとき断面図）であり、図５（ａ）、（ｂ）は、張出部が位置する側とは反対側の全体的な構成を示す断面図、および突板部周辺の隙間を示す説明図である。なお、液晶表示装置１００の全体的な構成を説明する際に、図４および図５を参照するにあたっては、図４（ａ）および図５（ａ）を参照し、突板部周辺に設けた隙間については図４（ｂ）および図５（ｂ）に示してある。
【００２６】
図２、図３、図４（ａ）および図５（ａ）において、本形態の液晶表示装置１００は、概ね、いわゆるバックライト装置と称せられる照明装置８と、この照明装置８の上面に重ねて配置された透過型の液晶パネル１０とを備えている。液晶表示装置１００において、照明装置８は、下側（Ｚ軸方向の一方側Ｚ１）で導光板８０の背面を覆うように配置された金属製の第３フレーム４０（下金枠）と、第３フレーム４０の上方で液晶パネル１０の端部を保持するとともに照明装置８を囲って保持する樹脂製の第１フレーム３０（樹脂フレーム）と、第１フレーム３０の上側（Ｚ軸方向の他方側Ｚ２）に配置された金属製の第２フレーム５０（上金枠）とを備えている。
【００２７】
第１フレーム３０は、液晶パネル１０の端部を保持するとともに液晶パネル１０の周りを囲む矩形枠形状を有しており、本形態において、第１フレーム３０は、液晶パネル１０の４つの辺に対応して４つの辺毎に分割された４本のフレーム板３１、３２、３３、３４を有して構成されている。本形態において、第１フレーム３０は黒色であり、光吸収部材として機能することによって、照明装置８内での迷光の発生を防止する。フレーム板３１、３２、３３、３４は各々、フレーム板３１、３２、３３、３４の外面側で下方に延在する側板部３１１、３２１、３３１、３４１と、側板部３１１、３２１、３３１、３４１の上端縁から内側に向かって屈曲した上板部３１５、３２５、３３５、３４５（端板部）と、上板部３１５、３２５、３３５、３４５の厚み方向（側板部のＺ軸方向）の途中位置から内側に張り出した突板部３１２、３２２、３３２、３４２とを備えている。
【００２８】
また、上板部３１５、３２５、３３５、３４５の上面には凸部３１７、３２７、３３７、３４７が形成されている。このため、フレーム板３１、３２、３３、３４の内側の突板部３１２、３２２、３３２、３４２と凸部３１７、３２７、３３７、３４７との間には厚み方向（側板部のＺ軸方向）で第１段部３１３、３２３、３３３、３４３が形成される。かかる第１段部３１３、３２３、３３３、３４３と突板部３１２、３２２、３３２、３４２とによって液晶パネル１０の面内方向の位置が規定されている。また、突板部３１２の下側には、照明装置８の導光板８０や発光素子８９等が配置されている。ここで、第１フレーム３０では、突板部３１２、３２２から照明装置８に向けて突出する第２段部３１６、３２６が形成されており、かかる第２段部３１６、３２６によって、後述する光学シート１８０の面内方向の位置が規定されている。また、図示を省略するが、第１フレーム３０では、突板部３１２、３２２と同様に、突板部３３２、３４２からも、照明装置８に向けて突出する第２段部が形成されており、かかる第２段部によって、後述する光学シート１８０の面内方向の位置が規定されている。
【００２９】
第３フレーム４０は、ＳＵＳ板等の薄い金属板に対するプレス加工等により形成されてなる。第３フレーム４０は、底板部４５と、底板部４５の外周縁のうち、Ｙ軸方向の一方側Ｙ１を除く３つの辺から起立する３つの側板部４２、４３、４４とを備えており、上面が開口する矩形の箱状になっている。かかる第３フレーム４０の側板部４２、４３、４４の外側に第１フレーム３０の側板部３２１、３３１、３４１が重なっている。また、第１フレーム３０の側板部３１１は、第３フレーム４０のＹ軸方向の一方側Ｙ１の端部（側板部の無い端部）を覆っている。
【００３０】
第２フレーム５０も、第３フレーム４０と同様、ＳＵＳ板等の薄い金属板に対するプレス加工等により形成されてなる。第２フレーム５０は、矩形の上板部５５（端板部）と、上板部５５の外周縁から下方に折れ曲がった４つの側板部５１、５２、５３、５４とを備えており、下面が開口する矩形の箱状になっている。側板部５１、５２、５３、５４は、第１フレーム３０の側板部３１１、３２１、３３１、３４１の外側に重なっている。上板部５５には、液晶パネル１０から出射された光を出射する画像表示領域１００ａに対応した矩形の窓５５０が形成されており、上板部５５は、液晶パネル１０の表示光出射側のうち、外周端部を全周にわたって覆っている。
【００３１】
（液晶パネル１０の構成）
図２、図３、図４（ａ）および図５（ａ）に示すように、液晶パネル１０は、四角形の平面形状を有しており、画素電極（図示せず）等が形成された素子基板１１と、素子基板１１に対して所定の隙間を介して対向配置された対向基板１２と、この対向基板１２と素子基板１１とを貼り合せる矩形枠状のシール材１４とを備えている。かかる液晶パネル１０では、素子基板１１と対向基板１２との間のうち、シール材１４で囲まれた領域内に液晶層１３が保持されている。素子基板１１および対向基板１２はガラス基板等の透光性基板からなる。素子基板１１では、Ｘ軸方向に複数本の走査線（図示せず）が延在している一方、Ｙ軸方向には複数本のデータ線が延在しており、走査線とデータ線（図示せず）との交差に対応して、スイッチング素子（図示せず）および画素電極が設けられている。
【００３２】
本形態では、対向基板１２が表示光の出射側に配置され、素子基板１１は照明装置８の側に配置されている。また、対向基板１２において、素子基板１１と対向する面には、シール材１４の４つの辺の内縁に沿って、矩形枠状の遮光層からなる額縁層１２０が形成されており、額縁層１２０の内縁により規定された領域が画像表示領域１００ａである。なお、第２フレーム５０の上板部５５の内縁は、遮光層からなる額縁層１２０の幅方向の途中位置にあり、第２フレーム５０の窓５５０は、画像表示領域１００ａおよび額縁層１２０の内周部分と重なっている。
【００３３】
液晶パネル１０は、ＴＮ（Twisted Nematic）方式、ＥＣＢ（Electrically Controlled Birefringence）方式、あるいはＶＡＮ（Vertical Aligned Nematic）方式の液晶パネルとして構成されており、素子基板１１に画素電極が形成され、対向基板１２に共通電極（図示せず）が形成されている。なお、液晶パネル１０がＩＰＳ（In Plane Switching）方式や、ＦＦＳ（Fringe Field Switching）方式の液晶パネルである場合、共通電極は、素子基板１１の側に設けられる。また、素子基板１１が対向基板１２に対して表示光の出射側に配置されることもある。液晶パネル１０の上面には上偏光板１８が重ねて配置され、液晶パネル１０の下面と照明装置８との間には下偏光板１７が配置されている。
【００３４】
本形態において、素子基板１１は対向基板１２より大きい。このため、素子基板１１は、Ｙ軸方向の一方側Ｙ１において対向基板１２の端部から張り出した張出部１１０を有しており、かかる張出部１１０の上面には複数枚のフレキシブル配線基板２００が接続されている。フレキシブル配線基板２００は、リジット基板からなる回路基板２５０に接続されており、かかる回路基板２５０には、図１を参照して説明した画像信号供給部２７０を構成する制御用ＩＣ（図示せず）や、光源駆動部２８０を構成する光源駆動用ＩＣ（図示せず）が実装されている。
【００３５】
（照明装置８の構成）
図６は、本発明の実施の形態１に係る液晶表示装置１００の照明装置８に用いた光源用基板８８周辺の構成を示す説明図であり、図６（ａ）、（ｂ）は、光源用基板８８の一方面８８１側の様子を模式的に示す説明図、および光源用基板８８の他方面８８２側の様子を模式的に示す説明図である。なお、導光板８０のＹ軸方向で相対向する２つの側端面８０１、８０２（光入射部８０ａ）に配置された発光素子８９や光源用基板８８の構成は同一である。従って、図６（ａ）には、導光板８０の側端面８０２に配置された発光素子８９や光源用基板８８を示し、図６（ｂ）には、導光板８０の側端面８０１に配置された光源用基板８８等を示してある。
【００３６】
図３、図４（ａ）および図５（ａ）に示すように、照明装置８は、液晶パネル１０の下面側に重ねて配置された導光板８０と、導光板８０の光入射部８０ａに発光面８９ａを向けて光入射部８０ａの一方端側（Ｘ軸方向の一方側Ｘ１）から他方端側（Ｘ軸方向の他方側Ｘ２）に向かって配列された複数の発光素子８９とを備えている。本形態において、複数の発光素子８９は、光入射部８０ａに沿ってＸ軸方向に延在する光源用基板８８の一方面８８１に実装されている。発光素子８９は、白色光を出射するＬＥＤ（Light Emitting Diode）であり、光源光を発散光として出射する。
【００３７】
本形態の照明装置８において、導光板８０の側端面８０１、８０２、８０３、８０４のうち、Ｙ軸方向で相対向する２つの側端面８０１、８０２が光入射部８０ａとして利用されている。このため、複数の発光素子８９は、導光板８０の２つの光入射部８０ａ（側端面８０１、８０２）に発光面８９ａを向け、２つの光入射部８０ａ（側端面８０１、８０２）の各々の一方端側から他方端側に向かって配列されている。また、光源用基板８８は、２つの光入射部８０ａ（側端面８０１、８０２）に沿って２枚が延在しており、かかる２枚の光源用基板８８の各々の一方面８８１に複数の発光素子８９が実装されている。
【００３８】
本形態において、導光板８０は、アクリル樹脂、ポリメチルスチレン樹脂、ポリカーボネート樹脂等からなる透光性の樹脂板であり、導光板８０の下面８０ｃ（光出射面８０ｂとは反対側の面／反対面）と第３フレーム４０の底板部４５との間には反射シート１８７が重ねて配置されている。導光板８０に用いる樹脂板は、押出成形や射出成形等により形成される。
【００３９】
また、導光板８０の上面（光出射面８０ｂ）と液晶パネル１０との間には拡散シート１８２、プリズムシート１８３、１８４等の光学シート１８０が重ねて配置されている。拡散シート１８２は、アクリル樹脂やポリカーボネート樹脂等の透光性樹脂にシリカ粒子等を分散したコーティング層を備えたシートからなる。本形態において、２枚のプリズムシート１８３、１８４は、互いの稜線が直交するように配置されている。このため、導光板８０の光出射面８０ｂから出射された照明光は、拡散シート１８２によって全方向に拡散した後、２枚のプリズムシート１８３、１８４によって、液晶パネル１０の正面方向にピークを持つような指向性が付与されている。
【００４０】
導光板８０において、反射シート１８７が位置する下面８０ｃには、拡散パターンとして、Ｘ軸方向に延在する線状の微細な凹部からなるグルーブ８６が複数形成されている。本形態において、グルーブ８６の密度は、発光素子８９から離れるに従って高くなっている。このため、導光板８０から出射される照明光の強度分布は、発光素子８９からの距離にかかわらず、均一化されている。
【００４１】
第３フレーム４０の底板部４５は、導光板８０において側端面８０１が位置する側と重なる領域において、導光板８０の下面８０ｃと第３フレーム４０との間に隙間が確保できるように段差が部分的に形成されており、導光板８０に向けて折れ曲がっている。それにより、導光板８０の下面８０ｃと底板部４５との間に反射シート１８７と光源支持部材６０の下板部６１とを隙間の間で挟持可能になっている。また、第３フレーム４０の底板部４５を導光板８０に向けて部分的に折り曲げたことによって第３フレーム４０の背面側には凹部が形成されるので、第３フレーム４０の底板部４５の下面（背面）までフレキシブル配線基板２００を折り曲げて延在させるとともに、かかる凹部内に回路基板２５０が凹部の深さ内に収納されるように配置されている。このため、照明装置８の薄型化を図ることができる。
【００４２】
本形態において、光源用基板８８は、発光素子８９が実装されている一方面８８１が導光板８０の光入射部８０ａに対向するように配置されている。また、光源用基板８８は、光入射部８０ａに沿って延在する板状の金属板８８７（支持板）の一方面８８１側に、配線パターンやランドが絶縁層とともに設けられた構造を有している。かかる構成は、金属板８８７の一方面８８１側に、樹脂基材層、配線パターンおよび絶縁保護層等がこの順に積層されたフレキシブル配線基板８８８を貼り合わせることにより実現することができる。従って、配線パターンおよび発光素子８９のチップが実装されるランドは、金属板８８７から電気的に絶縁されている。本形態において、金属板８８７はアルミニウム板からなり、金属板８８７は、光源用基板８８の機械的強度を確保するとともに、発光素子８９から発熱される熱の放熱板としても機能する。
【００４３】
図３、図４（ａ）、図５（ａ）および図６に示すように、２枚の光源用基板８８の各々の他方面８８２の側には、光源用基板８８を保持する光源支持部材６０が各々配置されており、光源支持部材６０は、第３フレーム４０および第１フレーム３０の間に配置されて保持されている。本形態において、光源支持部材６０は、光源用基板８８の他方面８８２に沿って延在する棒状の金属部品である。光源支持部材６０は、第３フレーム４０の底板部４５に重なる下板部６１と、下板部６１の幅方向の途中位置から上方に突出した壁面を構成する基板支持板部６２とを有している。また、光源支持部材６０は、基板支持板部６２から導光板８０が位置する側とは反対側に折れ曲がった上板部６３を基板支持板部６２の上端側（下板部６１と反対の側）に備えており、上板部６３は、ネジ等によって第２フレーム５０の上板部５５および第１フレーム３０の上板部３１５、３２５の少なくともいずれか一方に固定されている。
【００４４】
かかる構成の光源支持部材６０において、基板支持板部６２の導光板８０が位置する側の面は、光源用基板８８を保持する基板保持面６２０になっている。本形態では、ネジ等によって、基板保持面６２０に光源用基板８８が固定されている。この状態で、光源用基板８８は、他方面８８２（金属板８８７）の全面が基板保持面６２０に面接触し、密着した状態で重なっている。また、光源支持部材６０は、アルミニウムや鉄系金属等の金属製である。このため、発光素子８９で発生した熱は、光源用基板８８の金属板８８７から光源支持部材６０に伝達され、光源支持部材６０の熱は第３フレーム４０に伝達される。従って、発光素子８９の温度上昇を低く抑えることができる。
【００４５】
（液晶パネル１０および光学シート１８０の固定構造等）
図１〜図６を参照して、液晶表示装置１００における液晶パネル１０および光学シート１８０の固定構造を説明する。本形態の液晶表示装置１００では、第２フレーム５０、第１フレーム３０、および第３フレーム４０はネジ（図示せず）等により結合されて、内側に液晶パネル１０や照明装置８を保持する。より具体的には、第１フレーム３０の突板部３１２、３２２、３３２、３４２と、第２フレーム５０の上板部５５との間に液晶パネル１０の端部が挟持される。また、第１フレーム３０の突板部３１２、３２２、３３２、３４２と、第３フレーム４０の底板部４５との間に反射シート１８７、導光板８０、光学シート１８０（拡散シート１８２、プリズムシート１８３、１８４等）の端部が挟持される。このため、光学シート１８０は、第１フレーム３０の突板部３１２、３２２、３３２、３４２と、導光板８０との間に挟持された状態となる。ここで、第１フレーム３０の突板部３１２、３２２の下面には可撓性シート９１が貼られている。また、第１フレーム３０の突板部３１２、３２２、３３２、３４２の上面には可撓性シート９２が貼られている。このため、液晶表示装置１００を組み立てた際、液晶パネル１０は可撓性シート９２を介して突板部３１２、３２２、３３２、３４２に支持される。また、液晶表示装置１００を組み立てた際、照明装置８は可撓性シート９１を介して支持される。また、液晶表示装置１００を組み立てた際、照明装置８の光学シート１８０（拡散シート１８２、プリズムシート１８３、１８４等）は可撓性シート９１を介して浮きや位置ズレが生じないように抑えられている。
【００４６】
このようにして照明装置８や液晶パネル１０を第１フレーム３０、第２フレーム５０、および第３フレーム４０によって保持するにあたって、液晶パネル１０の張出部１１０が位置する側（辺１０ａの側）において、第１フレーム３０のフレーム板３１では、突板部３１２から液晶パネル１０の側に突出する第１段部３１３が形成されており、かかる第１段部３１３は、液晶パネル１０に用いた素子基板１１の張出部１１０側の側端面（辺１０ａ）、および素子基板１１の他の側端面に対向している。本形態において、第１段部３１３は、液晶パネル１０の縁部（辺１０ａ）に狭い隙間Ｇａ（図４（ｂ）参照）を介して対向している。
【００４７】
また、第１フレーム３０のフレーム板３１では、突板部３１２から光学シート１８０の厚み方向（Ｚ軸方向の一方側Ｚ１）に向けて突出する第２段部３１６が形成されており、かかる第２段部３１６は、光学シート１８０の外形辺１８１（外縁）に対向している。ここで、第２段部３１６は、第１段部３１３より内側（画像表示領域１００ａの側）に位置している。また、第２段部３１６は、光学シート１８０の外形辺１８１に狭い隙間Ｇｂ（図４（ｂ）参照）を介して対向している。このため、光学シート１８０の外形辺１８１は、素子基板１１の張出部１１０側の外端面（辺１０ａ）、および素子基板１１の他の側端面よりもかなり内側に位置する。また、第２段部３１６は、導光板８０の側端面８０１より内側（画像表示領域１００ａの側）に位置し、光学シート１８０の外形辺１８１は、導光板８０の側端面８０１より内側に位置する。従って、光学シート１８０の端部は突板部３１２と導光板８０との間に挟まれて配置されている。また、光学シート１８０の外形辺１８１は、対向基板１２の端部と重なる位置にある。また、突板部３１２の内縁３１８は、シール材１４より内側（画像表示領域１００ａの側）に位置し、額縁層１２０と平面視で重なっている。また、突板部３１２は、第２段部３１６を形成したため、第２段部３１６の先端側は、第１段部３１３と第２段部３１６との間の部分より突板部３１２の厚さ寸法が小になっている。なお、第２段部３１６および光学シート１８０の外形辺１８１の位置を、シール材１４と重なる位置から突板部３１２の内縁３１８までの間であれば適宜に設定することも可能である。
【００４８】
また、本形態では、図５（ａ）に示すように、液晶パネル１０の張出部１１０が位置する側とは反対側（辺１０ｂの側）でも、液晶パネル１０の張出部１１０が位置する側（辺１０ａの側）と同様、第１フレーム３０のフレーム板３２では、突板部３２２から液晶パネル１０の厚み方向の側（Ｚ軸方向の他方側Ｚ２）に突出する第１段部３２３が形成されており、かかる第１段部３２３は、液晶パネル１０の縁部（辺１０ｂ）、および素子基板１１の側端面に対向している。本形態において、第１段部３２３は、液晶パネル１０の縁部（辺１０ｂ）に狭い隙間Ｇａ（図５（ｂ）参照）を介して対向している。
【００４９】
また、第１フレーム３０のフレーム板３２では、突板部３２２から光学シート１８０の厚み方向（Ｚ軸方向の一方側Ｚ１）に向けて突出する第２段部３２６が形成されており、かかる第２段部３２６は、光学シート１８０の外形辺１８１に対向している。ここで、第２段部３２６は、第１段部３２３より内側（画像表示領域１００ａの側）に位置している。従って、光学シート１８０の端部は突板部３２２と導光板８０との間に挟まれて配置されている。また、第２段部３２６は、光学シート１８０の外形辺１８１に狭い隙間Ｇｂ（図５（ｂ）参照）を介して対向している。この状態で、第２段部３２６は、導光板８０の側端面８０２より内側（画像表示領域１００ａの側）に位置し、光学シート１８０の外形辺１８１は、導光板８０の側端面８０２より内側に位置する。また、光学シート１８０の外形辺１８１は、対向基板１２の端部と重なる位置に配置されている。また、突板部３２２の内縁３２８は、シール材１４より内側（画像表示領域１００ａの側）に位置し、額縁層１２０と平面視で重なっている。また、突板部３２２は、第２段部３２６を形成したため、第２段部３２６の先端側は、第１段部３２３と第２段部３２６との間の部分より突板部３２２の厚さ寸法が小になっている。
【００５０】
なお、液晶パネル１０の辺１０ａ、１０ｂ、１０ｃ、１０ｄのうち、発光素子８９が配置されていない辺１０ｃ、１０ｄでも、図５を参照して説明した構成と略同様な構成になっている。
【００５１】
（本形態の主な効果）
以上説明したように、本形態の液晶表示装置１００では、素子基板１１において対向基板１２の端部から張り出した張出部１１０が位置する側では、第１フレーム３０の突板部３１２から液晶パネル１０の側に突出して張出部１１０の側端面に対向する第１段部３１３が設けられているため、外力によって、液晶パネル１０に衝撃が加わっても、液晶パネル１０は、近接する第１段部３１３と当接するだけで、激しく周囲に当たるということがない。このため、張出部１１０が位置する側がパネル構造になっていなくても、素子基板１１が歪んで画像ムラや素子基板１１の損傷等が発生することを回避することができる。また、張出部１１０が位置する側では、第１フレーム３０の突板部３１２から光学シート１８０の側に突出して光学シート１８０の外形辺１８１に対向する第２段部３１６が設けられているため、外力によって、光学シート１８０が位置ずれしようとしても、光学シート１８０は近接する第２段部３１６と当接し、それ以上、変位しない。それ故、光学シート１８０が歪んで画像ムラが発生することを回避することができる。また、光学シート１８０が位置ずれしようとしても、光学シート１８０は第２段部３１６と当接し、それ以上、変位しないので、第２段部３１６については第１段部３１３より内側に配置して光学シート１８０のサイズを小さくしても、光が光学シート１８０を通らずに液晶パネル１０に入射することがない。
【００５２】
また、張出部１１０が位置する側において、光学シート１８０と第２段部３１６との間には隙間Ｇｂが設けられている。このため、光学シート１８０の外形辺１８１が多少、変位することが許容されているので、光学シート１８０が撓むことを防止することができる。
【００５３】
また、張出部１１０の側端面（素子基板１１の側端面）と第１段部３１３との間には隙間Ｇａが設けられている。このため、第１フレーム３０に衝撃や応力が加わっても、液晶パネル１０に大きな負荷が加わらないので、素子基板１１が歪んで画像ムラや素子基板の損傷等が発生することを回避することができる。
【００５４】
また、張出部１１０が位置する側において、第２段部３１６は、導光板８０の側端面８０１より内側に位置する。このため、光学シート１８０のサイズが小さい。また、張出部１１０が位置する側において、光学シート１８０の外形辺１８１は、対向基板１２の端部と重なる位置にあり、光学シート１８０のサイズが小さい。このため、コストの低減を図ることができる。
【００５５】
また、本形態では、張出部１１０が位置する側において、突板部３１２の内縁３１８は、シール材１４より内側に位置する。かかる構成によれば、突板部３１２の幅寸法が広いので、液晶パネル１０および光学シート１８０を確実に保持することができる。
【００５６】
また、液晶パネル１０の他の辺（辺１０ｂ、１０ｃ、１０ｄ）でも同様な構造になっているため、液晶パネル１０や光学シート１８０の位置ずれを防止することができるとともに、光学シート１８０を必要最小限まで小さくすることができる。
【００５７】
［実施の形態２］
上記実施の形態１では、光源用基板８８の一方面８８１が導光板８０の光入射部８０ａに対向している構成であったが、光源用基板８８の一方面８８１が導光板８０の光入射部８０ａに直交している構成の液晶表示装置１００に本発明を適用してもよい。
【００５８】
［他の実施の形態］
図７は、本発明を適用した液晶表示装置の照明装置に用いた光学シートの外形辺および第２段部の平面形状を示す説明図である。図３および図７（ａ）に示すように、上記実施の形態では、光学シート１８０の外形辺１８１が直線的に延在していたため、第２段部３１６は、光学シート１８０の外形辺１８１に隙間Ｇｂを隔てて直線的に延在していた。但し、図７（ｂ）に示すように、光学シート１８０の外形辺１８１に凸部１８１ａが設けられている場合、第２段部３１６は、光学シート１８０の外形辺１８１に隙間Ｇｂを隔てるように、凸部１８１ａに対応する位置に凹部３１６ａを設ければよい。また、図７（ｃ）に示すように、光学シート１８０の外形辺１８１に凸部１８１ａが設けられている場合でも、第２段部３１６が直線的に延在している構成を採用してもよく、この場合も、光学シート１８０の凸部１８１ａと第２段部３１６とが隙間Ｇｂを隔てて対向している構成となる。また、図７（ｄ）に示すように、光学シート１８０の外形辺１８１に凸部１８１ａが設けられている場合、第２段部３１６において、凸部１８１ａに対応する位置に凹部３１６ｂを設け、凸部１８１ａ以外の部分のみで、光学シート１８０の外形辺１８１と第２段部３１６とが隙間Ｇｂを隔てて対向している構成を採用してもよい。
【００５９】
上記実施の形態では、導光板８０の側端面８０１の側、および導光板８０の側端面８０２の側の双方を光入射部８０ａとしたが、側端面８０１、８０２のうちの一方のみが光入射部８０ａになっている液晶表示装置１００に本発明を適用してもよい。
【００６０】
上記実施の形態では、突板部３１２、３２２の内縁３１８、３２８が額縁層１２０と平面視で重なっていたが、突板部３１２、３２２、３３２、３４２の内縁が額縁層１２０の内縁と平面視で重なっている構成や、額縁層１２０の内縁より内側に位置する構成を採用し、突板部３１２、３２２、３３２、３４２の内縁を見切りとして利用してもよい。
【００６１】
上記実施の形態では、光学シート１８０の外形辺１８１は、対向基板１２の端部と重なる位置にあったが、対向基板１２の端部より内側に位置する構成を採用してもよい。
【００６２】
［電子機器への搭載例］
上述実施形態では、液晶表示装置１００を搭載した電子機器２０００として、液晶テレビを例示したが、液晶テレビ以外にも、パーソナルコンピューターのディスプレイ、デジタルサイネージ、カーナビゲーション装置、携帯用情報端末等の電子機器の表示部に本発明を適用した液晶表示装置１００を用いてもよい。
【符号の説明】
【００６３】
８・・照明装置、１０・・液晶パネル、３０・・第１フレーム、４０・・第３フレーム、５０・・第２フレーム、８０・・導光板、８０ａ・・光入射部、８９・・発光素子（光源）、１００・・液晶表示装置、１００ａ・・画像表示領域、１１０・・張出部、１８０・・光学シート、１８１・・光学シートの外形辺（外縁）、３１２、３２２、３３２、３４２・・突板部、３１３、３２３、３３３、３４３・・第１段部、３１６、３２６・・第２段部
【図１】
0005961942.tif 000002
【図２】
0005961942.tif 000003
【図３】
0005961942.tif 000004
【図４】
0005961942.tif 000005
【図５】
0005961942.tif 000006
【図６】
0005961942.tif 000007
【図７】
0005961942.tif 000008